(57)【要約】【目的】ガラスブロックパネルを施工した後であってもガラス成形体を容易に取り外したり交換したりすることができるガラスブロックを提供することである。【構成】本発明のガラスブロックは、一対の有底無蓋のガラス成形体が互いの開放端縁で対向してなり、係合材を用いて締着されてなることを特徴とする。【選択図】        図１
2004204478.tif 000002
【特許請求の範囲】
【請求項１】
一対の有底無蓋のガラス成形体が互いの開放端縁で対向してなり、係合材を用いて締着されてなることを特徴とするガラスブロック。
【請求項２】
透光面と略垂直に貫通孔が設けられてなり、係合材が貫通孔に挿置されてなることを特徴とする請求項１に記載のガラスブロック。
【請求項３】
一対のガラス成形体が互いの開放端縁でスペーサーを挟持してなることを特徴とする請求項１に記載のガラスブロック。
【請求項４】
スペーサーの間にシート材が配置されてなることを特徴とする請求項３に記載のガラスブロック。
【発明の詳細な説明】
【０００１】
【発明の属する技術分野】
本発明は、建築物の壁体に使用されるガラスブロックに関するものである。
【０００２】
【従来の技術】
ガラスブロックは、有底無蓋の箱型形状を有し、底部が透光面となる一対のガラス成形体が、互いの開放端縁で熔着一体化されて作製されてなるものであり、透光性、耐候性、遮音性に優れた建築材料であるため、従来から建築物の外装材や内装材として使用されている。
【０００３】
このようなガラスブロックを用いたガラスブロックパネルは、ガラスブロックを縦横方向に複数個配列し、モルタルによって一体化して作製される。
【０００４】
ところで、近年、２枚の窓板ガラスを一定の間隔を保ってサッシュに取り付けた複層ガラスパネルが普及しつつあり、この複層ガラスパネルは、窓板ガラスの間の空気層によって非常に優れた断熱性能を有している。
【０００５】
また上記のような方法で作製されるガラスブロックパネルも、一定の断熱性能を有しているが、これを外装材として用いた場合、複層ガラスパネルを用いた場合と比べると、外気温と室内温度の差が大きい夏期や冬期に冷房や暖房を効率的に行えず、経済的でなかった。
【０００６】
すなわち、夏期において室内を冷房しても、その外気の熱がガラスブロックパネルを伝わって室内温度を上昇させやすく、逆に冬期において室内を暖房しても、室内の熱がガラスブロックパネルを伝わって外気に逃げるため、複層ガラスパネルのように室内を効率良く冷やしたり、暖めたりすることが困難であった。
【０００７】
この問題を解決するために、一対のガラス成形体の開放端縁にゴム製のパッキンなどの結合部材を介して結合一体化したガラスブロックが開示されている（例えば、特許文献１参照。）。
【０００８】
また、ガラスブロックは、上記したように優れた機能性に加え、建築材料として意匠性においても優れている。機能性に加えて意匠性にも優れた代表的なガラスブロックとしては、透光面に種々の模様の有する透光半透視ガラスブロック、透光面の内面に種々の色をコートしたカラーガラスブロック（例えば、特許文献２参照。）、一対のガラス成形体を、互いの開放端縁でガラスファイバーマットを介して結合一体化してなる透光半透視ガラスブロック、乳白色のガラスを用いた透光不透視ガラスブロック（例えば、特許文献３参照。）等がある。
【０００９】
このように、機能性および意匠性において様々な要求を満たすことのできるガラスブロックが提案されている。
【００１０】
【特許文献１】
特開平１１−７１８５０号公報
【特許文献２】
実公昭４１−１０６８９号公報
【特許文献３】
特開平１０−２１８６３９号公報
【００１１】
【発明が解決しようとする課題】
ところで、近年の建築デザインの多様化によって、ガラスブロックパネルを施工した後であってもガラスブロックの透視性等の変更や破損したガラスブロックの修復が容易にできるように、または、ガラスブロックの内部に商品や作品等をディスプレイできるように、ガラス成形体を容易に取り外したり、交換したりすることが可能なガラスブロックが要求されている。
【００１２】
しかしながら、上記した特許文献１〜３に記載されているガラスブロックは、一対のガラス成形体の開放端縁を接着剤によって、または、熔着して一体化することで作製されるため、ガラスブロックパネルを施工した後にガラス成形体を容易に取り外したり、交換したりすることができない。
【００１３】
本発明の目的は、ガラスブロックパネルを施工した後であってもガラス成形体を容易に取り外したり交換したりすることができるガラスブロックを提供することである。
【００１４】
【課題を解決するための手段】
本発明のガラスブロックは、一対の有底無蓋のガラス成形体が互いの開放端縁で対向してなり、係合材を用いて締着されてなることを特徴とする。
【００１５】
【作用】
本発明のガラスブロックは、一対の有底無蓋のガラス成形体が互いの開放端縁で対向してなり、係合材を用いて一対のガラス成形体を締着されてなるため、ガラスブロックパネルを施工した後であってもガラス成形体を容易に取り外したり交換したりすることができる。すなわち、ガラスブロックパネルを施工した後であってもガラスブロックの模様、色、透視性等の変更や破損したガラスブロックの修復が容易にできるように、または、ガラスブロックの内部に商品や作品等をディスプレイできるように、ガラスブロックから係合材を取り外すことによって、ガラス成形体を取り外したり、交換したりすることで容易に異なった意匠に変更することが可能である。
【００１６】
本発明のガラスブロックは、透光面と略垂直に貫通孔が設けられてなり、係合材が貫通孔に挿置されてなると、係合材を用いて一対のガラス成形体を締着しやすく、また、係合材によって締着した際の応力が集中しにくいためガラスブロックが破損しにくい。特に、ガラスブロックの透光面の辺や頂点の数と同じ４ヶ所に貫通孔が設けられていると、一対のガラス成形体が開放端縁でずれることを抑制できるとともに、係合材を用いて締着した際にガラスブロックに加わる応力を均等に分散することができるため好ましい。
【００１７】
また、本発明のガラスブロックは、ガラスブロックの透光面に係合材の頭部が位置すると、従来から使用されているガラスブロックとは異なった意匠を有するため好ましい。
【００１８】
本発明のガラスブロックは、貫通孔がガラスブロックの側壁内部を貫通していると、気密性や水密性を保ちやすいため好ましい。
【００１９】
また、本発明のガラスブロックは、貫通孔の設けられる側壁が肉盛りされていると、貫通孔を設けることによってガラスブロックの強度が損なわれにくく、破損しにくいため好ましい。
【００２０】
本発明のガラスブロックは、貫通孔が、直径５〜１０ｍｍであると好ましい。５ｍｍよりも細いと、係合材も細くなり、締着する力が弱くなりやすく、１０ｍｍよりも太いと、ガラスブロックの側壁の厚みが薄くなって強度が低下し、ガラス成形体が破損しやすい。
【００２１】
本発明のガラスブロックは、貫通孔に係合材の頭部を収納するための窪みが設けられていると、透光面から係合材の頭部がはみ出しにくく、係合材に身体や荷物等がぶつかったり、衣服等が引っ掛かったりしにくいため好ましい。窪みの深さや大きさは、使用される係合材の大きさを考慮してガラスブロックの強度が損なわれない範囲で設けることができる。
【００２２】
本発明のガラスブロックは、係合材がボルトとナットからなると取り扱いが容易であるため好ましい。さらに、ボルトやナットが直接ガラスと接触ないようにＯリングが使用されていると、応力が集中せず、ガラスブロックが破損しにくいため好ましい。
【００２３】
係合材としては、ステンレス、鉄、黄銅、アルミニウム等の金属製またはＡＢＳ樹脂、ポリアセタール樹脂、フェノール樹脂等のプラスチック製の係合材が使用可能である。
【００２４】
本発明のガラスブロックは、一対のガラス成形体が互いの開放端縁においてスペーサーを挟持してなると、ガラス成形体同士が接触しないためガラスブロックが破損しにくく、また、衝撃によってガラス成形体にクラックが発生しても、他方のガラス成形体にはクラックが伝播しにくいため好ましい。
【００２５】
本発明のガラスブロックは、スペーサーが、ガラス成形体の開放端縁と略同一の形状であり、均一の厚さを有する板材であると、ガラス成形体の開放端縁に均等に応力が分散して破損しにくく、開放端縁からはみ出さないため外観上好ましい。
【００２６】
本発明のガラスブロックは、熔着一体化して作製されないため、どのような材質のスペーサーでも使用可能であるが、スペーサーがゴム製またはプラスチック製であると、衝撃吸収性能、断熱性、気密性、水密性が高いため好ましく、特に弾力性を有するゴム製であると、衝撃を吸収しやすいためガラスブロックが破損しにくい。ゴムとしては、ブチル系ゴム、シリコーンゴム、フッ素ゴム、ウレタンゴム、エチレンプロピレンゴム、クロロプレンゴムが使用可能であり、プラスチックとしては、ポリカーボネート樹脂、ポリ塩化ビニル、ナイロン、ＥＰＤＭ、ポリプロピレン樹脂、ポリアセタール樹脂が使用可能である。
【００２７】
本発明のガラスブロックは、スペーサーの間にシート材が配設されてなると、意匠性や機能性を高めることができるため好ましい。シート材としては、ガラスファイバーシート、パンチングメタル、ワイヤーメッシュ、プラスチック板、ガラス板が使用可能であり、また、低放射膜、赤外線反射膜、紫外線遮蔽膜、可視光線遮蔽膜等の機能性膜が表面に形成されたプラスチック板やガラス板も使用可能である。
【００２８】
プラスチック板には、透明なポリカーボネート樹脂、ポリスチレン樹脂、アクリル樹脂等が使用可能であり、ガラス板には、窓板ガラス、耐熱ガラス板、結晶化ガラス板等が使用可能である。
【００２９】
本発明のガラスブロックは、透光面の厚みが異なったガラス成形体と組み合わされてなるガラスブロックであると、ガラスなどの剛性材料に、ある周波数の音波が入射すると、その材料の屈曲振動と入射音波の振動とが一致し、一種の共振状態を起こし、透過損失が低下するコインシデンス効果を防止でき、遮音性能に優れる。
【００３０】
【実施例】
本発明のガラスブロックパネルを実施例に基づいて詳細に説明する。
【００３１】
図１は、本発明の実施例１のガラスブロックを示し、（ａ）は、斜視図であり、（ｂ）は、Ａ−Ａ断面図である。図２は、一対のガラス成形体を示し、（ａ）は、斜視図であり、（ｂ）は、コーナー部の拡大説明図である。また、図３は、実施例２のガラスブロックの断面図である。
【００３２】
［実施例１］
図１に示すように、本発明のガラスブロック１０は、一対の有底無蓋のガラス成形体（１９０×１９０×５０ｍｍ、）１１、１１が互いの開放端縁１１ａ、１１ａにおいて、枠状で厚さ２ｍｍのブチル系ゴム製のスペーサー１２を介して、係合材１３を用いて締着されている。
【００３３】
なお、図２に示すように、ガラス成形体１１には、透光面１１ｂの厚みが９ｍｍであり、各コーナー部１１ｃの１ヶ所づつ合計４ヶ所に直径８ｍｍの貫通孔１１ｄが設けられている。また、ガラス成形体１１の透光面１１ｂには、各貫通孔１１ｄに、貫通孔１１ｄと同心円の直径１２ｍｍ、深さ４ｍｍの窪み１１ｅが設けられている。
【００３４】
ガラスブロック１０は、ガラス成形体１１の各コーナー部１１ｃにそれぞれ設けられた貫通孔１１ｄに係合材１３が挿通され、ガラス成形体１１、１１を締着している。係合材１３は、ステンレス製のボルト１３ａ、ナット１３ｂおよびクロロプレン製のＯリング１３ｃから構成されている。
【００３５】
［実施例２］
図３に示すように、ガラスブロック２０は、厚さ１ｍｍのスペーサー２１を２枚用い、２枚のスペーサー２１、２１の間に厚さ２５０μｍのガラスファイバーシート２２を挟んだ以外は実施例１と同様に構成されている。
【００３６】
実施例１および２は、一対のガラス成形体１１、１１が係合材１３を用いて締着されているため、ガラスブロックから係合材１３を取り外すことによってガラスブロックを構成する部品に容易に分解することができ、ガラスブロックの模様、色、透視性等の変更や破損したガラスブロックの修復が容易にできるように、または、ガラスブロックの内部に商品や作品等をディスプレイできるように、ガラス成形体を取り外したり、交換したりすることが容易であり、異なった意匠に容易に変更することが可能である。
【００３７】
また、実施例２は、スペーサー２１、２１間にガラスファイバーシート２２を挟んでいるため、透光性を適度に調節することができ、係合材１３を取り外して異なる機能性を有するシート材に交換することでガラスブロック２０に異なる機能性を付与することができる。
【００３８】
【発明の効果】
以上のように、本発明のガラスブロックは、ガラスブロックパネルを施工した後であっても、ガラスブロックの模様、色、透視性等を変更や破損したガラスブロックの修復が容易にできるように、または、ガラスブロックの内部に商品や作品等をディスプレイできるように、ガラスブロックから係合材を取り外すことによって、ガラス成形体を取り外したり、交換したりすることで容易に異なった意匠に変更することが可能である。
【図面の簡単な説明】
【図１】本発明の実施例１のガラスブロックを示し、（ａ）は、斜視図であり、（ｂ）は、Ａ−Ａ断面図である。
【図２】ガラス成形体を示し、（ａ）は、斜視図であり、（ｂ）は、コーナー部の拡大説明図である。
【図３】実施例２のガラスブロックの断面図である。
【符号の説明】
１０、２０  ガラスブロック
１１  ガラス成形体
１１ａ  開放端縁
１１ｂ  透光面
１１ｃ  コーナー部
１１ｄ  貫通孔
１１ｅ  窪み
１２、２１  スペーサー
１３  係合材
１３ａ  ボルト
１３ｂ  ナット
１３ｃ  Ｏリング
２２  ガラスファイバーシート
【図１】
2004204478.tif 000003
【図２】
2004204478.tif 000004
【図３】
2004204478.tif 000005